(57)【要約】      （修正有）【課題】スクイーズローラによって、不要なカブリトナーを効率よく除去する画像形成装置及び画像形成方法を提供する。【解決手段】像担持体１０Ｙと、帯電手段１１Ｙと、露光手段１２Ｙと、形成された前記静電潜像をキャリアとトナー粒子とを含む液体現像剤により現像する現像ローラ２０Ｙと、前記現像ローラで現像された前記像担持体１０Ｙに当接しスクイーズすると共にバイアス電圧Ｖｓ1が印加される第１のスクイーズローラ１３Ｙと、前記第１のスクイーズローラ１３Ｙでスクイーズされた前記像担持体１０Ｙに当接しスクイーズすると共にバイアス電圧値Ｖｓ2が印加される第２のスクイーズローラ１３Ｙ’と、を有し、｜Ｖｓ1｜＞｜Ｖｓ2｜の関係を有することを特徴とする。【選択図】図４
2009244839.tif 000002
【特許請求の範囲】
【請求項１】
像担持体と、
前記像担持体を帯電する帯電部と、
前記像担持体を露光して潜像を形成する露光部と、
前記潜像をキャリアとトナー粒子とを含む液体現像剤を用いて現像する現像部と、
前記現像部で現像された前記像担持体に当接すると共に、バイアス電圧Ｖｓ1が印加され
る第１のスクイーズローラと、
前記第１のスクイーズローラでスクイーズされた前記像担持体に当接すると共に、バイアス電圧Ｖｓ2が印加される第２のスクイーズローラと、
前記第２のスクイーズローラでスクイーズされた前記像担持体に当接し、前記像が転写される転写部材と、を有し、
前記バイアス電圧Ｖｓ1の絶対値と、前記バイアス電圧Ｖｓ2の絶対値とが
｜Ｖｓ1｜＞｜Ｖｓ2｜
の関係を有することを特徴とする画像形成装置。
【請求項２】
像担持体と、
前記像担持体を帯電する帯電部と、
前記像担持体を露光して潜像を形成する露光部と、
前記像担持体に当接し前記潜像をキャリアとトナー粒子とを含む液体現像剤により現像すると共に、現像バイアス電圧Ｖｄが印加される現像剤担持体を備える現像部と、
前記現像剤担持体で現像された前記像担持体に当接すると共に、バイアス電圧Ｖｓ1が印
加される第１のスクイーズローラと、
前記第１のスクイーズローラでスクイーズされた前記像担持体に当接すると共に、バイアス電圧値Ｖｓ2が印加される第２のスクイーズローラと、
前記第２のスクイーズローラでスクイーズされた前記像担持体に当接し、前記像が転写される転写部材と、を有し、
現像バイアス電圧Ｖｄの絶対値、バイアス電圧Ｖｓ1の絶対値、及びバイアス電圧値Ｖｓ2の絶対値が
｜｜Ｖｄ｜―｜Ｖｓ1｜｜＞｜｜Ｖｓ1｜―｜Ｖｓ2｜｜
の関係を有することを特徴とする画像形成装置。
【請求項３】
温度を検出する温度検出手段と、
前記温度検出手段によって検出される温度に応じて前記バイアス電圧値Ｖｓ1を変更する
バイアス電圧調整手段と、を有する請求項１又は請求項２に記載の画像形成装置。
【請求項４】
前記バイアス値調整手段は、前記温度検出手段によって検出される温度に応じて前記バイアス電圧値Ｖｓ2を変更する請求項３に記載の画像形成装置。
【請求項５】
前記バイアス電圧値Ｖｓ1の変更量が前記バイアス電圧値Ｖｓ2の変更量より大きい請求項４に記載の画像形成装置。
【請求項６】
前記像担持体の回転速度を変更する回転速度変更手段を有する請求項３に記載の画像形成装置。
【請求項７】
前記バイアス値調整手段は、前記回転速度変更手段によって変更された前記像担持体の回転速度に応じて前記バイアス電圧値Ｖｓ1及び前記バイアス電圧値Ｖｓ2を変更する請求項６に記載の画像形成装置。
【請求項８】
前記バイアス電圧値Ｖｓ1の変更量は前記バイアス電圧値Ｖｓ2の変更量より大きい請求項
７に記載の画像形成装置。
【請求項９】
前記バイアス電圧調整手段は、前記像担持体の回転速度の増加に伴い、前記バイアス電圧値の絶対値｜Ｖｓ1｜及び前記バイアス電圧値の絶対値｜Ｖｓ2｜を増加させる請求項７に記載の画像形成装置。
【請求項１０】
前記第２のスクイーズローラでスクイーズされた前記像担持体に当接すると共に、バイアス電圧値Ｖｓ3が印加される第３のスクイーズローラ
を有し、
前記バイアス電圧Ｖｓ1の絶対値、前記バイアス電圧Ｖｓ2の絶対値、及び前記バイアス電圧値Ｖｓ3の絶対値が
｜Ｖｓ1｜＞｜Ｖｓ2｜＞｜Ｖｓ3｜
の関係を有する請求項１に記載の画像形成装置。
【請求項１１】
像担持体を帯電部で帯電し、
前記像担持体を露光部で露光することで潜像を形成し、
前記潜像を前記像担持体と当接する現像ローラを備える現像部でキャリアとトナー粒子とを含む液体現像剤により現像し、
前記現像ローラで現像された前記像担持体を、バイアス電圧値Ｖｓ1が印加される第１の
スクイーズローラでスクイーズし、
前記第１のスクイーズローラでスクイーズされた前記像担持体を、｜Ｖｓ1｜＞｜Ｖｓ2｜となるバイアス電圧値Ｖｓ2が印加される第２のスクイーズローラでスクイーズ
することを特徴とする画像形成方法。
【請求項１２】
温度検出手段によって温度を検出し、
前記温度検出手段によって検出された温度によって前記バイアス電圧値Ｖｓ1及び前記バ
イアス電圧値Ｖｓ2を変更する請求項１１に記載の画像形成方法。
【請求項１３】
前記バイアス電圧値Ｖｓ1の変更量が前記バイアス電圧値Ｖｓ2の変更量より大きい請求項１２に記載の画像形成方法。
【請求項１４】
回転速度変更手段によって前記像担持体の回転速度を変更し、
前記回転速度変更手段によって変更された前記像担持体の回転速度によって前記バイアス電圧値Ｖｓ1及び前記バイアス電圧値Ｖｓ2を変更する請求項１１に記載の画像形成方法。
【請求項１５】
前記バイアス電圧値Ｖｓ1の変更量は前記バイアス電圧値Ｖｓ2の変更量より大きい請求項１４に記載の画像形成方法。
【発明の詳細な説明】
【技術分野】
【０００１】
本発明は、像担持体上に形成した潜像をトナー及びキャリアからなる液体現像剤によって現像する現像し、これによる現像像をさらに記録紙などの媒体に転写して、転写された媒体上のトナー像を融着し定着して画像形成する画像形成装置及び画像形成方法に関する。
【背景技術】
【０００２】
液体溶媒中に固体成分からなるトナーを分散させた高粘度の液体現像剤を用いて潜像を現像し、静電潜像を可視化する湿式画像形成装置が種々提案されている。この湿式画像形成装置に用いられる現像剤は、シリコンオイルや鉱物油、食用油等からなる電気絶縁性を有し高粘度の有機溶剤（キャリア液）中に固形分（トナー粒子）を懸濁させたものであり、このトナー粒子は、粒子径が１μｍ前後と極めて微細である。このような微細なトナー粒子を使用することにより、湿式画像形成装置では、粒子径が７μｍ程度の粉体トナー粒子を使用する乾式画像形成装置に比べて高画質化が可能である。
【０００３】
上記のような液体現像剤を用いた画像形成装置は高画質化が可能であるが、種々解決しなければならない問題がある。例えば、液体現像剤を用いた画像形成装置では、感光体（像担持体）や現像ローラなどのローラ上の液体現像剤のコントロールが、液体ゆえに困難であるという問題がある。すなわち、装置を使用していく間に、ローラ上の液体現像剤が、ローラ端面へ液体現像剤の回り込でしまったり、ローラ上に液リングを形成してしまったり、といった問題が発生してしまう。
【０００４】
上記液リングに対処するために、例えば、特許文献１（特開２００７−１１４３８０号公報）には、余剰現像剤を回収する像担持体スクイーズ装置が開示されている。この像担持体スクイーズ装置は、像担持体１０Ｙに対向して現像ローラ２０Ｙとのニップ部の下流側に配置して像担持体１０Ｙに現像されたトナー像の余剰現像剤を回収するものであり、表面に弾性体１３−１を被覆して像担持体１０Ｙに摺接して回転する弾性ローラ部材から成る像担持体スクイーズローラ１３Ｙと、該像担持体スクイーズローラ１３Ｙに押圧摺接して表面をクリーニングするクリーニングブレード１４Ｙとから構成され、像担持体１０Ｙに現像された現像剤Ｄから余剰なキャリアＣ及び本来不要なカブリトナーＴ″を回収し、顕像内のトナー粒子比率を上げる機能を有する。
【特許文献１】特開２００７−１１４３８０号公報
【発明の開示】
【発明が解決しようとする課題】
【０００５】
しかしながら、特許文献１記載のものにおいては、本来不要なカブリトナーＴ″を回収するために、像担持体スクイーズローラに所定のバイアス電圧を印加するはずであるが、このための適正なバイアス電圧値がどの程度のものであるのかに係る開示はなく、問題であった。
【課題を解決するための手段】
【０００６】
本発明は上記のような問題を解決するために、本発明に係る画像形成装置は、像担持体と、前記像担持体を帯電する帯電部と、前記像担持体を露光して潜像を形成する露光部と、前記潜像をキャリアとトナー粒子とを含む液体現像剤を用いて現像する現像部と、前記現像部で現像された前記像担持体に当接すると共に、バイアス電圧Ｖｓ1が印加される第
１のスクイーズローラと、前記第１のスクイーズローラでスクイーズされた前記像担持体に当接すると共に、バイアス電圧Ｖｓ2が印加される第２のスクイーズローラと、前記第
２のスクイーズローラでスクイーズされた前記像担持体に当接し、前記像が転写される転写部材と、を有し、  前記バイアス電圧Ｖｓ1の絶対値と、前記バイアス電圧Ｖｓ2の絶対値とが｜Ｖｓ1｜＞｜Ｖｓ2｜の関係を有することを特徴とする。
【０００７】
また、本発明に係る画像形成装置は、像担持体と、前記像担持体を帯電する帯電部と、前記像担持体を露光して潜像を形成する露光部と、前記像担持体に当接し前記潜像をキャリアとトナー粒子とを含む液体現像剤により現像すると共に、現像バイアス電圧Ｖｄが印加される現像剤担持体を備える現像部と、前記現像剤担持体で現像された前記像担持体に当接すると共に、バイアス電圧Ｖｓ1が印加される第１のスクイーズローラと、前記第１
のスクイーズローラでスクイーズされた前記像担持体に当接すると共に、バイアス電圧値Ｖｓ2が印加される第２のスクイーズローラと、前記第２のスクイーズローラでスクイー
ズされた前記像担持体に当接し、前記像が転写される転写部材と、を有し、現像バイアス電圧Ｖｄの絶対値、バイアス電圧Ｖｓ1の絶対値、及びバイアス電圧値Ｖｓ2の絶対値が｜｜Ｖｄ｜―｜Ｖｓ1｜｜＞｜｜Ｖｓ1｜―｜Ｖｓ2｜｜の関係を有することを特徴とする。
【０００８】
また、本発明に係る画像形成装置は、温度を検出する温度検出手段と、前記温度検出手段によって検出される温度に応じて前記バイアス電圧値Ｖｓ1を変更するバイアス電圧調
整手段と、を有する。
【０００９】
また、本発明に係る画像形成装置は、前記バイアス値調整手段は、前記温度検出手段によって検出される温度に応じて前記バイアス電圧値Ｖｓ2を変更する。
【００１０】
また、本発明に係る画像形成装置は、前記バイアス電圧値Ｖｓ1の変更量が前記バイア
ス電圧値Ｖｓ2の変更量より大きい。
【００１１】
また、本発明に係る画像形成装置は、前記像担持体の回転速度を変更する回転速度変更手段を有する。
【００１２】
また、本発明に係る画像形成装置は、前記バイアス値調整手段は、前記回転速度変更手段によって変更された前記像担持体の回転速度に応じて前記バイアス電圧値Ｖｓ1及び前
記バイアス電圧値Ｖｓ2を変更する。
【００１３】
また、本発明に係る画像形成装置は、前記バイアス電圧値Ｖｓ1の変更量は前記バイア
ス電圧値Ｖｓ2の変更量より大きい。
【００１４】
また、本発明に係る画像形成装置は、前記バイアス電圧調整手段は、前記像担持体の回転速度の増加に伴い、前記バイアス電圧値の絶対値｜Ｖｓ1｜及び前記バイアス電圧値の
絶対値｜Ｖｓ2｜を増加させる。
【００１５】
また、本発明に係る画像形成装置は、前記第２のスクイーズローラでスクイーズされた前記像担持体に当接すると共に、バイアス電圧値Ｖｓ3が印加される第３のスクイーズロ
ーラを有し、前記バイアス電圧Ｖｓ1の絶対値、前記バイアス電圧Ｖｓ2の絶対値、及び前記バイアス電圧値Ｖｓ3の絶対値が｜Ｖｓ1｜＞｜Ｖｓ2｜＞｜Ｖｓ3｜の関係を有する。
【００１６】
また、本発明に係る画像形成方法は、像担持体を帯電部で帯電し、前記像担持体を露光部で露光することで潜像を形成し、前記潜像を前記像担持体と当接する現像ローラを備える現像部でキャリアとトナー粒子とを含む液体現像剤により現像し、前記現像ローラで現像された前記像担持体を、バイアス電圧値Ｖｓ1が印加される第１のスクイーズローラで
スクイーズし、前記第１のスクイーズローラでスクイーズされた前記像担持体を、｜Ｖｓ1｜＞｜Ｖｓ2｜となるバイアス電圧値Ｖｓ2が印加される第２のスクイーズローラでスク
イーズすることを特徴とする。
【００１７】
また、本発明に係る画像形成方法は、温度検出手段によって温度を検出し、前記温度検出手段によって検出された温度によって前記バイアス電圧値Ｖｓ1及び前記バイアス電圧
値Ｖｓ2を変更する。
【００１８】
また、本発明に係る画像形成方法は、前記バイアス電圧値Ｖｓ1の変更量が前記バイア
ス電圧値Ｖｓ2の変更量より大きい。
【００１９】
また、本発明に係る画像形成方法は、回転速度変更手段によって前記像担持体の回転速度を変更し、前記回転速度変更手段によって変更された前記像担持体の回転速度によって前記バイアス電圧値Ｖｓ1及び前記バイアス電圧値Ｖｓ2を変更する。
【００２０】
また、本発明に係る画像形成方法は、前記バイアス電圧値Ｖｓ1の変更量は前記バイア
ス電圧値Ｖｓ2の変更量より大きい。
【００２１】
以上、本発明の画像形成装置及び画像形成装置の制御方法によれば、バイアス電圧値が適切に設定された各スクイーズローラによって、不要なカブリトナーを効率よく除去することできる。
【００２２】
また、本発明の画像形成装置及び画像形成方法によれば、像担持体の電位減衰の速度にあわせて、カブリトナーを除去することができる。
【００２３】
また、本発明の画像形成装置及び画像形成方法によれば、温度によって、感光体の導電特性が変化し、高温側では電位の減衰が速くなるが、そのような変化を加味して高温時にはバイアス電圧値を低くし、カブリトナーを適切に除去することができる。
【００２４】
また、本発明の画像形成装置及び画像形成方法によれば、第１のスクイーズローラ位置のほうが温度による電位の減衰量が大きいので、第２のスクイーズローラよりも第１のスクイーズローラの電位を大きく変化させることで、カブリトナーを効果的に除去することができる。
【００２５】
また、本発明の画像形成装置及び画像形成方法によれば、記録媒体の種類などによって印刷速度（像担持体の回転速度に比例）を変える場合に対応して、最適なバイアス電圧値でカブリトナーを効果的に除去することができる。
【００２６】
また、本発明の画像形成装置及び画像形成方法によれば、印刷速度（像担持体の回転速度に比例）が異なるときの、電位の減衰量は前段のスクイーズローラのほうが大きいので、第２のスクイーズローラよりも第１のスクイーズローラの電位を大きく変化させることで、カブリトナーを効果的に除去する。
【００２７】
なお、本発明に関連して、以下のような参考実施形態も有効な構成であることを確認しておく。すなわち、本発明の参考実施形態に係る画像形成装置は、アモルファスシリコン感光体からなる像担持体と、前記像担持体表面を帯電する帯電手段と、前記像担持体表面を露光し静電潜像を形成する露光手段と、前記像担持体表面に当接し形成された静電潜像をキャリアとトナー粒子とを含む液体現像剤により現像し現像像を形成する現像ローラと、前記像担持体表面に形成された現像像を所定媒体に転写する転写手段と、前記現像ローラ下流側と前記転写手段との間に前記像担持体表面に当接するように配置されると共にそれぞれに所定のバイアス電圧が印加される２個のスクイーズローラと、を有し、前記現像ローラの直下流に設けられるスクイーズローラに印加されるバイアス電圧値をＶｓ1、バ
イアス電圧Ｖｓ1が印加されるスクイーズローラの直下流に設けられるスクイーズローラ
に印加されるバイアス電圧値をＶｓ2とするとき、Ｖｓ1＞Ｖｓ2の関係を有することを特
徴とする。
【００２８】
また、本発明の参考実施形態に係る画像形成装置は、アモルファスシリコン感光体からなる像担持体と、前記像担持体表面を帯電する帯電手段と、前記像担持体表面を露光し静電潜像を形成する露光手段と、前記像担持体表面に当接し形成された静電潜像をキャリアとトナー粒子とを含む液体現像剤により現像し現像像を形成する現像ローラと、前記像担持体表面に形成された現像像を所定媒体に転写する転写手段と、前記現像ローラ下流側と前記転写手段との間に前記像担持体表面に当接するように配置されると共にそれぞれに所定のバイアス電圧が印加される２つのスクイーズローラと、を有し、前記現像ローラに印加されるバイアス電圧値をＶｄ、前記現像ローラの直下流に設けられる第１スクイーズローラに印加されるバイアス電圧値をＶｓ1、前記第１スクイーズローラの直下流に設けら
れる第２スクイーズローラに印加されるバイアス電圧値をＶｓ2、とするとき、｜Ｖｄ―
Ｖｓ1｜＞｜Ｖｓ1―Ｖｓ2｜の関係を有することを特徴とする。
【００２９】
また、本発明の参考実施形態に係る画像形成装置は、温度を検出する温度検出手段を有し、前記温度検出手段によって検出される温度に応じてＶｓ1及びＶｓ2を変更することを特徴とする。
【００３０】
また、本発明の参考実施形態に係る画像形成装置は、前記温度検出手段によって検出される温度に応じてＶｓ1及びＶｓ2を変更するときにＶｓ1の変更量をＶｓ2の変更量より大きく設定することを特徴とする。
【００３１】
また、本発明の参考実施形態に係る画像形成装置は、前記像担持体の回転速度に応じてＶｓ1及びＶｓ2を変更することを特徴とする。
【００３２】
また、本発明の参考実施形態に係る画像形成装置は、前記像担持体の回転速度に応じてＶｓ1及びＶｓ2を変更するときにＶｓ1の変更量をＶｓ2の変更量より大きく設定することを特徴とする。
【００３３】
また、本発明の参考実施形態に係る画像形成装置は、アモルファスシリコン感光体からなる像担持体と、前記像担持体表面を帯電する帯電手段と、前記像担持体表面を露光し静電潜像を形成する露光手段と、前記像担持体表面に当接し形成された静電潜像をキャリアとトナー粒子とを含む液体現像剤により現像し現像像を形成する現像ローラと、前記像担持体表面に形成された現像像を所定媒体に転写する転写手段と、前記現像ローラ下流側と前記転写手段との間に前記像担持体表面に当接するように配置されると共にそれぞれに所定のバイアス電圧が印加されるｍ（ｍは３以上の自然数）個以上のスクイーズローラと、を有し、現像ローラからn（ｎ≦ｍの自然数）番目に配置されるスクイーズローラのバイ
アスをＶｓnとするとき、Ｖｓn-1＞Ｖｓnの関係を有することを特徴とする。
【００３４】
また、本発明の参考実施形態に係る画像形成装置の制御方法は、アモルファスシリコン感光体からなる像担持体と、前記像担持体表面を帯電する帯電手段と、前記像担持体表面を露光し静電潜像を形成する露光手段と、前記像担持体表面に当接し形成された静電潜像をキャリアとトナー粒子とを含む液体現像剤により現像し現像像を形成する現像ローラと、前記像担持体表面に形成された現像像を所定媒体に転写する転写手段と、前記現像ローラ下流側と前記転写手段との間に前記像担持体表面に当接するように配置されると共にそれぞれに所定のバイアス電圧が印加される２個のスクイーズローラと、を有する画像形成装置の制御方法であって、前記現像ローラの直下流に設けられるスクイーズローラに印加されるバイアス電圧値をＶｓ1、バイアス電圧Ｖｓ1が印加されるスクイーズローラの直下
流に設けられるスクイーズローラに印加されるバイアス電圧値をＶｓ2、とするとき、Ｖ
ｓ1＞Ｖｓ2の関係が成立するように各バイアス電圧値を制御することを特徴とする。
【００３５】
以上、参考実施形態に係る画像形成装置及び画像形成装置の制御方法によれば、バイアス電圧値が適切に設定された各スクイーズローラによって、不要なカブリトナーを効率よく除去することできる。
【００３６】
また、参考実施形態に係る画像形成装置及び画像形成装置の制御方法によれば、像担持体の電位減衰の速度にあわせて、カブリトナーを除去することができる。
【００３７】
また、参考実施形態に係る画像形成装置及び画像形成装置の制御方法によれば、温度によって、アモルファスシリコン感光体の導電特性が変化し、高温側では電位の減衰が速くなるが、そのような変化を加味して高温時にはバイアス電圧値を低くし、カブリトナーを適切に除去することができる。
【００３８】
また、参考実施形態に係る画像形成装置及び画像形成装置の制御方法によれば、第２のスクイーズローラ位置のほうが温度による電位の減衰量が大きいので、第１のスクイーズローラよりも第２のスクイーズローラの電位を大きく変化させることで、カブリトナーを効果的に除去することができる。
【００３９】
また、参考実施形態に係る画像形成装置及び画像形成装置の制御方法によれば、記録媒体の種類などによって印刷速度（像担持体の回転速度に比例）を変える場合に対応して、最適なバイアス電圧値でカブリトナーを効果的に除去することができる。
【００４０】
また、参考実施形態に係る画像形成装置及び画像形成装置の制御方法によれば、印刷速度（像担持体の回転速度に比例）が異なるときの、電位の減衰量は前段のスクイーズローラのほうが大きいので、第２のスクイーズローラよりも第１のスクイーズローラの電位を大きく変化させることで、カブリトナーを効果的に除去する。
【発明を実施するための最良の形態】
【００４１】
以下、本発明の実施の形態を図面を参照しつつ説明する。図１は本発明の実施の形態に係る画像形成装置を構成する主要構成要素を示した図である。画像形成装置の中央部に配置された各色の画像形成部に対し、現像装置３０Ｙ、３０Ｍ、３０Ｃ、３０Ｋは、画像形成装置の下部に配置され、中間転写体４０、２次転写部（２次転写ユニット）６０は、画像形成装置の上部に配置されている。
【００４２】
画像形成部は、像担持体１０Ｙ、１０Ｍ、１０Ｃ、１０Ｋ、コロナ帯電器１１Ｙ、１１Ｍ、１１Ｃ、１１Ｋ、不図示の露光ユニット１２Ｙ、１２Ｍ、１２Ｃ、１２Ｋ等を備えている。露光ユニット１２Ｙ、１２Ｍ、１２Ｃ、１２Ｋは、ＬＥＤアレイ、ドライバＩＣ、配線基板を有し、コロナ帯電器１１Ｙ、１１Ｍ、１１Ｃ、１１Ｋにより、像担持体１０Ｙ、１０Ｍ、１０Ｃ、１０Ｋを一様に帯電させ、露光ユニット１２Ｙ、１２Ｍ、１２Ｃ、１２Ｋにより、入力された画像信号に基づいて、制御を行い、帯電された像担持体１０Ｙ、１０Ｍ、１０Ｃ、１０Ｋ上に静電潜像を形成する。
【００４３】
現像装置３０Ｙ、３０Ｍ、３０Ｃ、３０Ｋは、概略、現像ローラ２０Ｙ、２０Ｍ、２０Ｃ、２０Ｋ、イエロー（Ｙ）、マゼンタ（Ｍ）、シアン（Ｃ）、ブラック（Ｋ）からなる各色の液体現像剤を貯蔵する現像剤容器（リザーバ）３１Ｙ、３１Ｍ、３１Ｃ、３１Ｋ、これら各色の液体現像剤を現像剤容器３１Ｙ、３１Ｍ、３１Ｃ、３１Ｋから現像ローラ２０Ｙ、２０Ｍ、２０Ｃ、２０Ｋに塗布する塗布ローラであるアニロックスローラ３２Ｙ、３２Ｍ、３２Ｃ、３２Ｋ等を備え、各色の液体現像剤により像担持体１０Ｙ、１０Ｍ、１
０Ｃ、１０Ｋ上に形成された静電潜像を現像する。
【００４４】
中間転写体４０は、エンドレスのベルトであり、駆動ローラ４１とテンションローラ４２、５２、５３に張架され、一次転写部５０Ｙ、５０Ｍ、５０Ｃ、５０Ｋで像担持体１０Ｙ、１０Ｍ、１０Ｃ、１０Ｋと当接しながら駆動ローラ４１により回転駆動される。一次転写部５０Ｙ、５０Ｍ、５０Ｃ、５０Ｋは、像担持体１０Ｙ、１０Ｍ、１０Ｃ、１０Ｋと中間転写体４０を挟んで一次転写ローラ５１Ｙ、５１Ｍ、５１Ｃ、５１Ｋが対向配置され、像担持体１０Ｙ、１０Ｍ、１０Ｃ、１０Ｋとの当接位置を転写位置として、現像された像担持体１０Ｙ、１０Ｍ、１０Ｃ、１０Ｋ上の各色のトナー像を中間転写体４０上に順次重ねて転写し、フルカラーのトナー像を形成する。
【００４５】
２次転写ユニット６０は、２次転写ローラ６１が中間転写体４０を挟んでベルト駆動ローラ４１と対向配置され、さらに２次転写ローラクリーニングブレード６２からなるクリーニング装置が配置される。そして、２次転写ローラ６１を配置した転写位置において、中間転写体４０上に形成された単色のトナー像やフルカラーのトナー像をシート材搬送経路Ｌにて搬送される用紙、フィルム、布等の記録媒体に転写する。
【００４６】
さらに、経路シート材搬送経路Ｌの下流には、不図示の定着ユニットが配置され、用紙等の記録媒体上に転写された単色のトナー像やフルカラーのトナー像を用紙等の記録媒体に融着させ定着させる。
【００４７】
また、テンションローラ４２は、ベルト駆動ローラ４１と共に中間転写体４０を張架しており、中間転写体４０のテンションローラ４２に張架されている箇所で、中間転写体クリーニングローラ４６からなるクリーニング装置が当接・配置されている。
【００４８】
次に、本発明の実施の形態に係る画像形成装置の画像形成部及び現像装置について説明する。図２は画像形成部及び現像装置の主要構成要素を示した断面図である。各色の画像形成部及び現像装置の構成は同様であるので、以下、イエロー（Ｙ）の画像形成部及び現像装置に基づいて説明する。
【００４９】
画像形成部は、像担持体１０Ｙの外周の回転方向に沿って、像担持体クリーニングローラ１６Ｙ、像担持体クリーニングブレード１８Ｙ、コロナ帯電器１１Ｙ、露光ユニット１２Ｙ、現像装置３０Ｙの現像ローラ２０Ｙ、第１像担持体スクイーズローラ１３Ｙ、第２像担持体スクイーズローラ１３Ｙ’が配置されている。
【００５０】
像担持体クリーニングローラ１６Ｙはウレタンゴム表層を有するローラであり、像担持体１０Ｙに当接しつつ反時計回りに回転することによって、像担持体１０Ｙ上の転写残り液体現像剤や未転写液体現像剤をクリーニングする。像担持体クリーニングローラ１６Ｙには、液体現像剤中のトナー粒子を誘引するようなバイアス電圧が印加される。このため、像担持体クリーニングローラ１６Ｙで回収されるのは、トナー粒子が多く含まれる液体現像剤となる。このような像担持体クリーニングローラ１６Ｙで回収された固形分リッチな液体現像剤は、像担持体クリーニングローラ１６Ｙに当接する像担持体クリーニングローラクリーニングブレード１７Ｙによって掻き取られ、鉛直下方に落下する。
【００５１】
これに対して、像担持体クリーニングローラ１６Ｙの下流側において、像担持体１０Ｙと当接している像担持体クリーニングブレード１８Ｙは、像担持体１０Ｙ上のキャリア成分リッチな液体現像剤を、クリーニングブレード保持部材７３Ｙを通じて下方に落下させる。
【００５２】
なお、固形分リッチとは、現像装置３０Ｙに補給される液体現像剤と比較して固形分を
多く含む液体現像剤の状態のことをいう。これに対して、キャリア成分リッチとは、現像装置３０Ｙに補給される液体現像剤と比較してキャリア成分を多く含む液体現像剤の状態のことをいう。また、液体現像剤（トナー）は、固形分（トナーの粒子）がキャリア中に分散しているものとして定義することができる。
【００５３】
クリーニングブレード保持部材７３Ｙには、像担持体クリーニングローラクリーニングブレード１７Ｙから落下した固形分リッチな液体現像剤と、像担持体クリーニングブレード１８Ｙで掻き取られたキャリア成分リッチな液体現像剤の双方が混ざり合うことによって搬送性がよくなる。また、このような搬送性の向上は、装置の小型化にも寄与することができる。
【００５４】
像担持体回収貯留部８０Ｙは、像担持体クリーニングローラクリーニングブレード１７Ｙで掻き取られた固形分リッチな液体現像剤、像担持体クリーニングブレード１８Ｙで掻き取られたキャリア成分リッチな液体現像剤、の双方を受ける凹状部を有している。
【００５５】
像担持体回収貯留部８０Ｙの凹状部には、回収スクリュー８１Ｙが設けられており、この回収スクリュー８１Ｙが回転することによって、そのスパイラル羽根が凹状部で受けた液体現像剤を回収スクリュー８１Ｙ回転軸方向へと搬送する。回収スクリュー８１Ｙで搬送された液体現像剤は、不図示の回収機構へと送り出される。
【００５６】
７０Ｙ、７１Ｙ、７２Ｙ、７３Ｙは各クリーニングブレードを保持するクリーニングブレード保持部材である。
【００５７】
現像装置３０Ｙにおける現像ローラ２０Ｙの外周には、クリーニングブレード２１Ｙ、アニロックスローラ３２Ｙ、コンパクションコロナ発生器２２Ｙが配置されている。アニロックスローラ３２Ｙには、現像ローラ２０Ｙへ供給する液体現像剤の量を調整する規制ブレード３３Ｙが当接している。７５Ｙは規制ブレード３３Ｙを保持するブレード保持部材である。液体現像剤容器３１Ｙの中にはオーガ３４Ｙ、回収スクリュー３２１Ｙが収容されている。
【００５８】
また、中間転写体４０に沿って、像担持体１０Ｙと対向する位置に一次転写部の一次転写ローラ５１Ｙが配置されている。
【００５９】
像担持体１０Ｙは、現像ローラ２０Ｙの幅より広く、外周面に感光層が形成された円筒状の部材からなる感光体ドラムであり、例えば図２に示すように時計回りの方向に回転する。該像担持体１０Ｙの表層の感光層は、アモルファスシリコン感光体で構成される。コロナ帯電器１１Ｙは、像担持体１０Ｙと現像ローラ２０Ｙとのニップ部より像担持体１０Ｙの回転方向の上流側に配置され、図示しない電源装置から電圧が印加され、像担持体１０Ｙをコロナ帯電させる。露光ユニット１２Ｙは、コロナ帯電器１１Ｙより像担持体１０Ｙの回転方向の下流側において、コロナ帯電器１１Ｙによって帯電された像担持体１０Ｙ上にレーザ光を照射し、像担持体１０Ｙ上に潜像を形成する。
【００６０】
なお、画像形成プロセスの始めから終わりまでで、より前段に配置されるローラなどの構成は、後段に配置されるローラなどの構成より上流にあるものと定義する。
【００６１】
現像装置３０Ｙは、コンパクション作用を施すコンパクションコロナ発生器２２Ｙ、キャリア内にトナーを概略重量比２０％程度に分散した状態の液体現像剤を貯蔵する現像剤容器３１Ｙを有する。この現像剤容器３１Ｙには、アニロックスローラ３２Ｙに供給されなかった液体現像剤などを回収する回収スクリュー３２１Ｙも備えられている。
【００６２】
また現像装置３０Ｙは、前記の液体現像剤を担持する現像ローラ２０Ｙ、液体現像剤を現像ローラ２０Ｙに塗布するための塗布ローラであるアニロックスローラ３２Ｙと、現像ローラ２０Ｙに塗布する液体現像剤量を規制する規制ブレード３３Ｙと、液体現像剤を攪拌、搬送しつつアニロックローラ３２Ｙに供給するオーガ３４Ｙ、現像ローラ２０Ｙに担持された液体現像剤をコンパクション状態にするコンパクションコロナ発生器２２Ｙ、現像ローラ２０Ｙのクリーニングを行う現像ローラクリーニングブレード２１Ｙを有する。７６Ｙは現像ローラクリーニングブレード２１Ｙを保持するクリーニングブレード保持部材である。
【００６３】
現像剤容器３１Ｙに収容されている液体現像剤は、従来一般的に使用されているＩｓｏｐａｒ（商標：エクソン）をキャリアとした低濃度（１〜２ｗｔ％程度）かつ低粘度の、常温で揮発性を有する揮発性液体現像剤ではなく、高濃度かつ高粘度の、常温で不揮発性を有する不揮発性液体現像剤である。すなわち、本発明における液体現像剤は、熱可塑性樹脂中へ顔料等の着色剤を分散させた平均粒径１μｍの固形子を、有機溶媒、シリコンオイル、鉱物油又は食用油等の液体溶媒中へ分散剤とともに添加し、トナー固形分濃度を約２０％とした高粘度（３０〜１００００ｍＰａ・ｓ程度）の液体現像剤である。
【００６４】
液体現像剤容器３１Ｙの中にオーガ３４Ｙはアニロックスローラ３２Ｙと離間するように設けられているが、このオーガ３４Ｙが図２で反時計回りに回転することによって液体現像剤がアニロックスローラ３２Ｙに供給されるようになっている。
【００６５】
現像容器３１Ｙ内の空間は仕切り部３３０Ｙによって２つに分け隔てられている。この仕切り部３３０Ｙによって分けられる空間の一方は、液体現像剤を供給するための供給貯留部３１０Ｙとして利用され、他方は液体現像剤を回収するための回収貯留部３２０Ｙとして利用される。供給貯留部３１０Ｙと回収貯留部３２０Ｙは、互いに軸方向に並列するように仕切り部３３０Ｙにより隔てられる。
【００６６】
供給貯留部３１０Ｙには、オーガ３４Ｙが回転可能に設けられており、このオーガ３４Ｙが装置動作時に回転することで、供給貯留部３１０Ｙに溜まっている液体現像剤がアニロックスローラ３２Ｙに供給される。供給貯留部３１０Ｙと液体現像剤供給管３７０Ｙは連結しており、供給貯留部３１０Ｙに対する液体現像剤の供給は液体現像剤供給管３７０Ｙにより行われる。
【００６７】
また、回収貯留部３２０Ｙには回収スクリュー３２１Ｙが回転可能に設けられており、回収スクリュー３２１Ｙが装置動作時に回転することで、現像に利用されなかった液体現像剤や、像担持体スクイーズローラクリーニングブレード１４Ｙ、１４Ｙ’などのクリーニングブレードから滴下したキャリアなどを回収する。
【００６８】
回収貯留部３２０Ｙと液体現像剤回収管３７１Ｙとは連結されており、回収スクリュー３２１Ｙが回転することで、液体現像剤回収管３７１Ｙが連結されている回収貯留部３２０Ｙの一方端に液体現像剤を搬送するようになっている。このようにして回収貯留部３２０Ｙで回収された液体現像剤は、液体現像剤回収管３７１Ｙによって不図示の液体現像剤リサイクル機構へと導かれる。
【００６９】
アニロックスローラ３２Ｙは、現像ローラ２０Ｙに対して液体現像剤を供給し、塗布する塗布ローラとして機能するものである。このアニロックスローラ３２Ｙは、円筒状の部材であり、表面に現像剤を担持し易いように表面に微細且つ一様に螺旋状に彫刻された溝による凹凸面が形成されたローラである。このアニロックスローラ３２Ｙにより、現像剤容器３１Ｙから現像ローラ２０Ｙへと液体現像剤が供給される。装置動作時においては、図２に示すように、オーガ３４Ｙが時計回り回転し、アニロックローラ３２Ｙに液体現像
剤を供給し、アニロックローラ３２Ｙは反時計回りに回転して、現像ローラ２０Ｙに液体現像剤を塗布する。
【００７０】
規制ブレード３３Ｙは、表面に弾性体を被覆して構成した弾性ブレードであり、アニロックスローラ３２Ｙの表面に当接するウレタンゴム等からなるゴム部と、該ゴム部を支持する金属等の板で構成される。そして、アニロックスローラ３２Ｙによって担持搬送されてきた液体現像剤の膜厚、量を規制、調整し、現像ローラ２０Ｙに供給する液体現像剤の量を調整する。
【００７１】
現像ローラクリーニングブレード２１Ｙは、現像ローラ２０Ｙの表面に当接するゴム等で構成され、現像ローラ２０Ｙが像担持体１０Ｙと当接する現像ニップ部より現像ローラ２０Ｙの回転方向の下流側に配置されて、現像ローラ２０Ｙに残存する液体現像剤を掻き落として除去するものである。
【００７２】
コンパクションコロナ発生器２２Ｙは、現像ローラ２０Ｙ表面の帯電バイアスを増加させる電界印加手段であり、現像ローラ２０Ｙによって搬送される液体現像剤は、図２に示すようにコンパクションコロナ発生器２２Ｙによって、コンパクション部位でコンパクションコロナ発生器２２Ｙ側から現像ローラ２０Ｙに向かって電界が印加される。
【００７３】
なお、このコンパクションのための電界印加手段は、図２に示すコロナ放電器のコロナ放電に代えて、コンパクションローラなどを用いても良い。このようなコンパクションローラは、円筒状の部材とし、現像ローラ２０Ｙと同様に弾性体を被覆して構成した弾性ローラの形態とし、金属ローラ基材の表層に導電性の樹脂層やゴム層を備えた構造とし、例えば現像ローラ２０Ｙと反対方向の時計回りに回転させるようにするとよい。
【００７４】
一方、現像ローラ２０Ｙに担持されてコンパクションされた現像剤は、現像ローラ２０Ｙが像担持体１０Ｙに当接する現像ニップ部において、所望の電界印加によって、像担持体１０Ｙの潜像に対応して現像される。そして、現像残りの現像剤は、現像ローラクリーニングブレード２１Ｙによって掻き落として除去され現像剤容器３１Ｙ内の回収部に滴下して再利用される。尚、このようにして再利用されるキャリア及びトナーは混色状態ではない。
【００７５】
一次転写の上流側に配置される像担持体スクイーズ装置は、像担持体１０Ｙに対向して現像ローラ２０Ｙの下流側に配置して像担持体１０Ｙに現像されたトナー像の余剰現像剤を回収するものであり、図２に示すように表面に弾性体を被覆して像担持体１０Ｙに摺接して回転する弾性ローラ部材から成る第１像担持体スクイーズローラ１３Ｙ、第２像担持体スクイーズローラ１３Ｙ’と、該第１像担持体スクイーズローラ１３Ｙ、第２像担持体スクイーズローラ１３Ｙ’に押圧摺接して表面をクリーニングするクリーニングブレード１４Ｙ、１４Ｙ’とから構成され、像担持体１０Ｙに現像された現像剤から余剰なキャリア及び本来不要なカブリトナーを回収し、顕像内のトナー粒子比率を上げる機能を有する。一次転写前の像担持体スクイーズ装置として、本実施形態では複数の像担持体スクイーズローラ１３Ｙ、１３Ｙ’を設けているが、ひとつの像担持体スクイーズローラによって構成しても良い。また、液体現像剤の状態などに応じて、複数の像担持体スクイーズローラ１３Ｙ、１３Ｙ’のうち一方が当離接するように構成しても良い。
【００７６】
上記の第１像担持体スクイーズローラ１３Ｙ、第２像担持体スクイーズローラ１３Ｙ’には適切なバイアス電圧値が印加されることによって不要なカブリトナーを回収するが、これらに印加するバイアス電圧については後述する。
【００７７】
一次転写部５０Ｙでは、像担持体１０Ｙに現像された現像剤像を一次転写ローラ５１Ｙ
により中間転写体４０へ転写する。ここで、像担持体１０Ｙと中間転写体４０は等速度で移動する構成であり、回転及び移動の駆動負荷を軽減するとともに、像担持体１０Ｙの顕像トナー像への外乱作用を抑制している。
【００７８】
中間転写体４０はイエロー（Ｙ）、マゼンタ（Ｍ）、シアン（Ｃ）、ブラック（Ｋ）各色の一次転写部５０のニップを通過し、各色の像担持体の現像像が転写され、色重ねされて２次転写ユニット６０のニップ部に進入する。
【００７９】
２次転写ユニット６０を経た中間転写体４０は、再び一次転写部５０で転写像を受けるために周回するが、一次転写部５０が実行される上流側において中間転写体４０は、中間転写体クリーニングローラ４６などによってクリーニングが実施される。
【００８０】
中間転写体４０は、ポリイミド基層上にポリウレタンの弾性中間層を設け、さらにその上にＰＦＡ表層が設けられている三層構造となっている。このような中間転写体４０では、ポリイミド基層側において駆動ローラ４１、テンションローラ４２、５２、５３で張架され、ＰＦＡ表層側においてトナー像が転写されるようにして用いられる。このように形成された弾性を有する中間転写体４０は、記録媒体表面への追従性、応答性がよいために、２次転写時において、特に粒子径が小さいトナー粒子を記録媒体の凹部に対して送り込み転写させるのに有効である。
【００８１】
次に、アモルファスシリコン感光体からなる像担持体１０Ｙの表面電位の時間変化について説明する。図３は本発明の実施の形態に係る画像形成装置に用いる像担持体１０Ｙの暗減衰特性を示す図である。図３は像担持体１０Ｙを暗所にて６００Ｖに帯電した後の時間変化を示している。図に示されるように、アモルファスシリコン感光体で構成される像担持体１０Ｙは、所定の電位に帯電後、暗所においても徐々にその電位を失っていく。このような電位の特性を暗減衰と称する。このような暗減衰は、減衰の早い段階では大きく、時間が経過するにつれ、緩やかとなる。
【００８２】
図４は画像形成装置における画像形成部の主要な構成を抜き出して示す図であり、図５は画像形成プロセスにおける像担持体表面電位の推移を示す図である。図５の縦軸に示されているのは、各部材に印加するバイアス電圧値である。
【００８３】
像担持体１０ＹがＴ＝０の時点でコロナ帯電器１１Ｙにより帯電された瞬間から、上記のような暗減衰によって、像担持体１０Ｙの表面電位は減衰する。本実施形態においては、このような暗減衰特性を考慮した上で、第１像担持体スクイーズローラ１３Ｙ、第２像担持体スクイーズローラ１３Ｙ’のバイアス電圧値を設定する。
【００８４】
Ｔ＝０の時点でコロナ帯電器１１Ｙにより帯電された像担持体１０Ｙの表面は、Ｔ＝ＴEで露光ユニット１２Ｙによって露光され静電潜像が形成され、Ｔ＝ＴDで現像ローラ２０によって現像され現像像が形成され、Ｔ＝ＴS1で第１像担持体スクイーズローラ１３Ｙによって第１回目のスクイーズが実施され余剰キャリアと共にカブリトナーが回収され、Ｔ＝ＴS2で第２像担持体スクイーズローラ１３Ｙ’によって第２回目のスクイーズが実施され、余剰キャリアと共にカブリトナーが回収される。
【００８５】
図５における左側の像担持体表面電位は、現像ローラ２０Ｙを通過する時点Ｔ＝ＴDに
おける像担持体の表面電位を示すものである。ＶW0は像担持体１０Ｙ上における非露光部分の電位であり、ＶB0は露光部分の電位である。また、Ｖｄは現像ローラ２０Ｙに印加されるバイアス電圧値を示している。トナー粒子はプラスに帯電されており、現像ローラ２０Ｙを通過する時点Ｔ＝ＴDにおいては、トナー粒子は電位ＶB0に引かれる形で移動する
。移動したトナー粒子によって像担持体１０Ｙ上に形成された静電潜像が現像され、現像
像が形成されることとなる。
【００８６】
ここで、カブリトナーといわれるものは、上記のような現像に際して、本来はトナー粒子が移動するはずのない非露光部分である電位ＶW0のところに移動してしまったもののことをいう。本実施形態では、適切なバイアス電圧値を第１像担持体スクイーズローラ１３Ｙ及び第２像担持体スクイーズローラ１３Ｙ’に設定することによって、このカブリトナーを効率よく回収する。
【００８７】
図５における中央の像担持体表面電位は、第１像担持体スクイーズローラ１３Ｙを通過する時点Ｔ＝ＴS1における像担持体の表面電位を示すものである。図５の中央の像担持体表面電位は、左側の像担持体表面電位（現像ローラ２０Ｙ通過時）に比べて、全体的に低くなっているが、これは上述の暗減衰によるものである。また、図５の中央に示すものにおいて、ＶW1は像担持体１０Ｙ上における非露光部分の電位であり、ＶB1は露光部分の電位である。
【００８８】
本実施形態では、第１像担持体スクイーズローラ１３Ｙに印加するバイアス電圧値Ｖｓ1としては、Ｖｄ＞Ｖｓ1となるように設定する。これは非露光部分ＶW1に存在するカブリトナーを、点線の矢印に示すように第１像担持体スクイーズローラ１３Ｙ側に移動させるようにするためである。本実施形態では、暗減衰特性を考慮した上で、Ｖｄ＞Ｖｓ1とな
るように第１像担持体スクイーズローラ１３Ｙに印加するバイアス電圧値を設定することによって、不要なカブリトナーを効率よく除去するようにしている。
【００８９】
図５における右側の像担持体表面電位は、第２像担持体スクイーズローラ１３Ｙ’を通過する時点Ｔ＝ＴS2における像担持体の表面電位を示すものである。図５の右側の像担持体表面電位は、中央の像担持体表面電位（第１像担持体スクイーズローラ１３Ｙ通過時）に比べて、全体的に低くなっているが、これは先の暗減衰特性によるものである。また、図５の右側に示すものにおいて、ＶW2は像担持体１０Ｙ上における非露光部分の電位であり、ＶB2は露光部分の電位である。
【００９０】
本実施形態では、第１像担持体スクイーズローラ１３Ｙ’に印加するバイアス電圧値Ｖｓ2としては、Ｖｄ＞Ｖｓ1＞Ｖｓ2となるように設定する。これは非露光部分ＶW2に存在
するカブリトナーを、点線の矢印に示すように第２像担持体スクイーズローラ１３Ｙ’側に移動させるようにするためである。このように本実施形態では、暗減衰特性を考慮した上で、Ｖｄ＞Ｖｓ1＞Ｖｓ2となるように第１像担持体スクイーズローラ１３Ｙに印加するバイアス電圧値を設定することによって、不要なカブリトナーを効率よく除去するようにしている。
【００９１】
また、暗減衰特性については前述したように、早い段階では減衰率が大きく、時間が経過するにつれ、減衰率が緩やかとなる傾向があるため、このような傾向を考慮すると、
Ｖｄ―Ｖｓ1＞Ｖｓ1―Ｖｓ2とすると、より効率的にカブリトナーの回収を行うことがで
きる。ここで、バイアス電圧の正負の設定は使用するトナーの特性等に依存することを考慮すると、一般的には｜Ｖｄ―Ｖｓ1｜＞｜Ｖｓ1―Ｖｓ2｜が成立するようにバイアス電
圧値を定めるとよい。
【００９２】
本実施形態においては、第１像担持体スクイーズローラ１３Ｙ及び第２像担持体スクイーズローラ１３Ｙ’の２つのスクイーズローラを用いた場合について説明したが、これを一般化してｎ個のスクイーズローラが設けられている場合ついて考えみる。すなわち、現像ローラ２０Ｙの下流側で、一次転写までの間に、ｎ個の像担持体スクイーズローラが配されているものとする。このような場合、現像ローラ２０Ｙの直下流に設けられる像担持体スクイーズローラに印加されるバイアス電圧値をＶｓ1、バイアス電圧Ｖｓ1が印加され
る像担持体スクイーズローラの直下流に設けられる像担持体スクイーズローラに印加されるバイアス電圧値をＶｓ2、・・・・・、バイアス電圧Ｖｓn-2が印加される像担持体スクイーズローラの直下流に設けられる像担持体スクイーズローラに印加されるバイアス電圧値をＶｓn―1、バイアス電圧Ｖｓn-1が印加される像担持体スクイーズローラの直下流に
設けられる像担持体スクイーズローラに印加されるバイアス電圧値をＶｓn、というよう
に定めるときに、本発明においては、Ｖｓ1＞Ｖｓ2＞・・・・・・＞Ｖｓn―1＞Ｖｓnの
関係を有するようにすればよい、ということとなる。これによれば、全ての像担持体スクイーズローラによって、暗減衰特性による像担持体表面電位の減衰を考慮した上で、効率的にカブリトナーを除去することができる。
【００９３】
ところで、画像形成装置では、厚手の普通紙や薄い上質紙などの画像形成対象となる記録媒体の種類に応じて、画像形成プロセス速度（すなわち、像担持体の回転速度）を変更するものが知られている。本発明の考え方を、このような画像形成プロセスの速度（像担持体の回転速度）を変更するものに適用すると、像担持体１０Ｙの回転速度に応じて、コロナ帯電器１１Ｙによる帯電から、第１像担持体スクイーズローラ１３Ｙ及び第２像担持体スクイーズローラ１３Ｙ’まで到達する時間が異なることとなるので、像担持体１０Ｙの回転速度に応じてバイアス電圧値Ｖｓ1及びＶｓ2を変更するとよいことがわかる。このようにすれば、記録媒体の種類によって印刷速度（像担持体の回転速度に比例）を変える場合に対応して、最適なバイアス電圧値でカブリトナーを効果的に除去することができる。
【００９４】
また、上記のように像担持体１０Ｙの回転速度に応じてバイアス電圧値Ｖｓ1及びＶｓ2を変更するときにおいては、バイアス電圧値Ｖｓ1の変更量をバイアス電圧値Ｖｓ2の変更量より大きく設定するとよい。これは、暗減衰特性が、初期には減衰率が大きく、時間が経過するにつれ、減衰率が小さくなるからである。すなわち、印刷速度（像担持体の回転速度に比例）が異なるときの、電位の減衰量は前段のスクイーズローラのほうが大きいので、第２像担持体スクイーズローラ１３Ｙ’よりも第１像担持体スクイーズローラ１３Ｙの電位を大きく変化させる。このようなバイアス電圧値の設定によれば、カブリトナーをより効果的に除去する。
【００９５】
次に、暗減衰特性の温度に伴う変化と、これを考慮した像担持体スクイーズローラのバイアス電圧値の設定について説明する。図６は像担持体１０Ｙの温度変化による暗減衰特性の変化を示す図である。図６は像担持体１０Ｙを温度の異なる暗所にて６００Ｖに帯電した後の時間変化を示している。図に示されるように、アモルファスシリコン感光体で構成される像担持体１０Ｙの暗減衰による減衰率は、温度が高いほど顕著である。
【００９６】
図６に示される温度変化による暗減衰特性の変化を像担持体スクイーズローラのバイアス電圧値の設定に加味する。ここで、簡単のために像担持体スクイーズローラが、第１像担持体スクイーズローラ１３Ｙの１つのみの図７に示す系によって検討する。
【００９７】
図７は像担持体スクイーズローラを１つのみ備える画像形成装置の主要な構成を抜き出して示す図である。また、図８は図７の画像形成装置に基づくものであり、画像形成プロセスにおける温度変化による像担持体表面電位の推移を示す図である。図８の縦軸に示されているのは、各部材に印加するバイアス電圧値である。
【００９８】
図８における左側の像担持体表面電位は、露光ユニット１２Ｙを通過する時点Ｔ＝ＴE
における像担持体の表面電位を示すものである。実線で示すものは温度が低いときの像担持体表面電位であり、ＶWELは像担持体１０Ｙ上における非露光部分の電位であり、ＶBELは露光部分の電位である。また、点線で示すものは温度がそれより高いときの像担持体表面電位であり、ＶWEHは像担持体１０Ｙ上における非露光部分の電位であり、ＶBEHは露光
部分の電位である。
【００９９】
なお、Ｖｄは現像ローラ２０Ｙに印加されるバイアス電圧値を示している。
【０１００】
図８における中央の像担持体表面電位は、温度が低いときのそれを示している。また、図８は第１像担持体スクイーズローラ１３Ｙを通過する時点Ｔ＝ＴS1における像担持体の表面電位を示すものである。図８の中央の像担持体表面電位は、左側の像担持体表面電位（温度低）に比べて、全体的に低くなっているが、これは上述の暗減衰によるものである。また、図８の中央に示すものにおいて、ＶW1Lは像担持体１０Ｙ上における非露光部分
の電位であり、ＶB1Lは露光部分の電位である。
【０１０１】
図８における右側の像担持体表面電位は、中央に示しものに比べて温度が高いときのそれを示している。また、図８は第１像担持体スクイーズローラ１３Ｙを通過する時点Ｔ＝ＴS1における像担持体の表面電位を示すものである。図８の右側の像担持体表面電位は、左側の像担持体表面電位（温度高）に比べて、全体的に低くなっているが、これは先の暗減衰特性によるものである。また、図８の右側に示すものにおいて、ＶW2は像担持体１０Ｙ上における非露光部分の電位であり、ＶB2は露光部分の電位である。
【０１０２】
また、図８の右側の像担持体表面電位（温度高）は、図８の中央側の像担持体表面電位（温度低）より、暗減衰の温度特性により全体的に低くなっている。
【０１０３】
本実施形態では、上記のような暗減衰の温度特性を考慮して、不図示の温度を検出する温度検出手段を設けておき、前記温度検出手段によって検出される温度に応じて像担持体スクイーズローラに印加するバイアス電圧値を変更するようにする。これは、第１像担持体スクイーズローラ１３Ｙ及び第２像担持体スクイーズローラ１３Ｙ’の２つを備える画像形成装置の場合においても同じである。温度によって、アモルファスシリコン感光体の導電特性が変化し、高温側では電位の減衰が速くなるが、そのような変化を加味して高温時にはバイアス電圧値を低くし、カブリトナーを適切に除去する。
【０１０４】
また、前記温度検出手段によって検出される温度に応じてバイアス電圧値Ｖｓ1及びＶ
ｓ2を変更するときにおいては、バイアス電圧値Ｖｓ1の変更量をバイアス電圧値Ｖｓ2の
変更量より大きく設定するようにする。すなわち、第２像担持体スクイーズローラ１３Ｙ’位置のほうが温度による電位の減衰量が大きいので、第１像担持体スクイーズローラ１３Ｙよりも第２像担持体スクイーズローラ１３Ｙ’の電位を大きく変化させることで、カブリトナーを効果的に除去することができる。
【０１０５】
次に、本発明の実施例について説明する。
（実施例１）
アモルファスシリコン感光体からなる像担持体１０は、まずコロナ帯電器１１で所定の表面電位に帯電される。このとき、およそ像担持体１０の帯電電位は５００〜６００Ｖ程度である。そのあと、露光ユニット１２によって画像部（黒部）は光が照射され帯電器によって帯電された電荷を表面電位が約５０〜１００Ｖになるくらいに打ち消される。また非画像部（白部）に光は照射されない。しかし、光が当たらなくても表面電位は自然に減衰する。これを暗減衰というのは前述したとおりである。
【０１０６】
ここから像担持体１０の帯電電位が６００Ｖに与えても、現像ローラ２０の現像位置や第１像担持体スクイーズローラ１３Ｙ及び第２像担持体スクイーズローラ１３Ｙ’のスクイーズの位置にくるまでの間に電位が低くなることがわかる。また、電位の落ち方は、帯電直後が速く、その後減衰が次第になだらかになっている。
【０１０７】
第１像担持体スクイーズローラ１３Ｙ及び第２像担持体スクイーズローラ１３Ｙ’でトナーを凝集させずにカブリを取るには、像担持体１０の表面電位よりも５０Ｖ〜１００Ｖ電位を低くすることが望ましい。これよりも低くすると、スクイーズで除去したトナーが凝集し、クリーニング不良やリサイクルすることが難しくなる。逆に高すぎるとカブリを効果的に除去できずに、印刷物の白い部分の汚れとなってしまう。
【０１０８】
そこで図４のコロナ帯電器１１Ｙ、露光ユニット１２Ｙ、現像ローラ２０Ｙ、第１像担持体スクイーズローラ１３Ｙ、第２像担持体スクイーズローラ１３Ｙ’のレイアウトで、以下のような実験を行った。像担持体１０Ｙの直径は７８ｍｍであり、像担持体１０Ｙの速度を変えることで現像位置やスクイーズ位置に到達する時間が変わるためスクイーズバイアス条件も変化する。また暗減衰は、温湿度によっても変化するため、スクイーズバイアス条件を変えて効果を確認した。
【０１０９】
φ７８の像担持体１０Ｙで、感光体速度２１０ｍｍ／ｓｅｃで駆動し、像担持体１０Ｙの帯電電位を６００Ｖとする。ここで感光体上のカブリを除去するためにはトナーは正帯電のため、第１像担持体スクイーズローラ１３Ｙ、第２像担持体スクイーズローラ１３Ｙ’のスクイーズバイアス電圧値を像担持体表面電位より低くする必要がある。よって、像担持体１０Ｙの暗減衰にあわせて、バイアス電圧値Ｖｓ1よりＶｓ2のバイアスを低くし、（Ｖｄ―Ｖｓ1）より（Ｖｓ1―Ｖｓ2）を小さくなるように、表１のように設定すること
で、トナーを凝集させずに、カブリを除去することができた。
【０１１０】
【表１】
2009244839.tif 000003
（実施例２）
同様にφ７８の感光体で、像担持体１０Ｙを速度２７０ｍｍ／ｓｅｃで駆動し、像担持体１０Ｙの帯電電位を６００Ｖとする。像担持体１０Ｙの暗減衰にあわせて、バイアス電圧値Ｖｓ1よりバイアス電圧値Ｖｓ2のバイアスを低くし、（Ｖｄ―Ｖｓ1）より（Ｖｓ1―Ｖｓ2）を小さくなるように、表１のように設定した。このようにすることで、トナーを
凝集させずにカブリを除去することができた。
（実施例３）
同様にφ７８の感光体で、像担持体１０Ｙの速度１５０ｍｍ／ｓｅｃで駆動し、像担持体１０Ｙの帯電電位を６００Ｖとする。像担持体１０Ｙの暗減衰にあわせて、バイアス電圧値Ｖｓ1よりバイアス電圧値Ｖｓ2のバイアスを低くし、（Ｖｄ―Ｖｓ1）より（Ｖｓ1―Ｖｓ2）を小さくなるように、表１のように設定した。このようにすることで、トナーを
凝集させずにカブリを除去することができた。
（実施例４）
同様にφ７８の感光体で、像担持体１０Ｙの速度２１０ｍｍ／ｓｅｃで駆動し、像担持体１０Ｙの帯電電位を６００Ｖとする。像担持体１０Ｙの暗減衰にあわせて、バイアス電圧値Ｖｓ1よりバイアス電圧値Ｖｓ2のバイアスを低く、バイアス電圧値Ｖｓ2よりバイア
ス電圧値Ｖｓ３のバイアスを低くし、（Ｖｄ―Ｖｓ1）より（Ｖｓ1―Ｖｓ2）を小さく、
（Ｖｓ1―Ｖｓ2）より（Ｖｓ2―Ｖｓ3）を小さくなるように、表１のように設定した。このようにすることで、トナーを凝集させずにカブリを除去することができた。図９は実施
例４の画像形成装置の構成を示すものである。
【０１１１】
以上、本発明の画像形成装置及び画像形成装置の制御方法によれば、バイアス電圧値が適切に設定された各スクイーズローラによって、不要なカブリトナーを効率よく除去することできる。
【０１１２】
また、本発明の画像形成装置及び画像形成装置の制御方法によれば、像担持体の電位減衰の速度にあわせて、カブリトナーを除去することができる。
【０１１３】
また、本発明の画像形成装置及び画像形成装置の制御方法によれば、温度によって、アモルファスシリコン感光体の導電特性が変化し、高温側では電位の減衰が速くなるが、そのような変化を加味して高温時にはバイアス電圧値を低くし、カブリトナーを適切に除去することができる。
【０１１４】
また、本発明の画像形成装置及び画像形成装置の制御方法によれば、第２のスクイーズローラ位置のほうが温度による電位の減衰量が大きいので、第１のスクイーズローラよりも第２のスクイーズローラの電位を大きく変化させることで、カブリトナーを効果的に除去することができる。
【０１１５】
また、本発明の画像形成装置及び画像形成装置の制御方法によれば、記録媒体の種類などによって印刷速度（像担持体の回転速度に比例）を変える場合に対応して、最適なバイアス電圧値でカブリトナーを効果的に除去することができる。
【０１１６】
また、本発明の画像形成装置及び画像形成装置の制御方法によれば、印刷速度（像担持体の回転速度に比例）が異なるときの、電位の減衰量は前段のスクイーズローラのほうが大きいので、第２のスクイーズローラよりも第１のスクイーズローラの電位を大きく変化させることで、カブリトナーを効果的に除去する。
【０１１７】
次に、本発明の他の実施形態について説明する。図１０は本発明の他の実施形態に係る画像形成装置を構成する主要構成要素を示した図である。本実施形態においては、像担持体１０Ｙ、１０Ｍ、１０Ｃ、１０Ｋの表層の感光層が、アモルファスシリコン感光体で構成される場合に加えて、有機感光体（ＯＰＣ：Ｏｒｇａｎｉｃ  Ｐｈｏｔｏ  Ｃｏｎｄｕｃｔｏｒ）によって構成される場合についても配慮された、バイアス電圧の設定が提案される。図１０において先の実施形態と同様の参照番号が付された構成については、同様のものを示すので説明を割愛する。ただし、本実施形態においては、上述したように像担持体としては、アモルファスシリコン感光体又は有機感光体のいずれかが用いられる場合を想定している。
【０１１８】
他の実施形態に係る画像形成装置１において、給紙カセット５にセットされたシート材は、所定のタイミングにて一枚ごとピックアップローラ６によってシート材搬送経路Ｌに送り出されるようになっている。シート材搬送経路Ｌでは、搬送ローラ対７、７’によってシート材を２次転写位置まで搬送し、中間転写体４０上に形成された単色のトナー像やフルカラーのトナー像をシート材に転写する。２次転写されたシート材は搬送ローラ対７’’によって、さらに定着部９０に搬送される。定着部９０は、加熱ローラ９１と、この加熱ローラ９１側に所定の圧力で付勢された加圧ローラ９２とから構成されており、これらのニップ間にシート材を挿通させ、シート上に転写された単色のトナー像やフルカラーのトナー像を用紙等のシート材に融着し定着させる。
【０１１９】
バイアス電圧Ｖｓ1印加手段１１０は、第１像担持体スクイーズローラ１３Ｙに対して
、所定のタイミングと電圧によって、バイアス電圧Ｖｓ1を印加することによって、像担
持体上の不要なカブリトナーを回収する。また、バイアス電圧Ｖｓ2印加手段１２０は、
第２像担持体スクイーズローラ１３Ｙ’に対して、所定のタイミングと電圧によって、バイアス電圧Ｖｓ2を印加することによって、像担持体上の不要なカブリトナーを回収する
。
【０１２０】
画像形成装置１では、厚手の普通紙や薄い上質紙などの画像形成対象となる記録媒体の種類に応じて、画像形成プロセス速度（すなわち、像担持体の回転速度）を変更するが、変更のための構成が回転速度変更手段１３０である。回転速度変更手段１３０は、中間転写体の回転速度、シート材搬送経路における搬送速度、各色の現像装置における回転速度などを総合的に変更することができる機能を有している。なお、バイアス電圧Ｖｓ1印加
手段１１０、バイアス電圧Ｖｓ2印加手段１２０、回転速度変更手段１３０などの各手段
の制御は不図示のＣＰＵが統括的に行うものである。
【０１２１】
他の実施形態に係る画像形成装置１の像担持体に用い得るアモルファスシリコン感光体又は有機感光体の特性について説明する。図１１はアモルファスシリコン感光体と有機感光体の暗減衰特性を示す図である。図１１は、アモルファスシリコン感光体と有機感光体の暗減衰速度の相違について図示したものである。図に示すように、有機感光体に比べて、アモルファスシリコン感光体の方が減衰速度は速くなる。なお、有機感光体は負帯電の感光材料であるので、暗減衰特性としては、−５００Ｖから０Ｖへと減衰するが、図においては電位の絶対値をとることによって、アモルファスシリコン感光体と比較することができるようにしてある。
【０１２２】
先の実施形態で像担持体として用いられたアモルファスシリコン感光体は正帯電の感光材料であったが、他の実施形態で用い得る有機感光体は負帯電の感光材料である。このような負帯電の感光材料に対しても本発明の概念を適用することができる。
【０１２３】
このことついて図１２を参照して説明する。図１２は、負帯電の像担持体を用いたときの画像形成プロセスにおける像担持体表面電位の推移を示す図である。図１２は、図５に示された図と同様の見方をすることができるので、その見方の詳細については説明を省略する。なお、図１２において、Ｖｓ1、Ｖｓ2、Ｖｄはいずれも負の値をとるものである。
【０１２４】
像担持体として有機感光体を用いた場合においても、適切なバイアス電圧値を第１像担持体スクイーズローラ１３Ｙ及び第２像担持体スクイーズローラ１３Ｙ’に設定することによって、このカブリトナーを効率よく回収する。
【０１２５】
図１２における中央の像担持体表面電位は、第１像担持体スクイーズローラ１３Ｙを通過する時点Ｔ＝ＴS1における像担持体の表面電位を示すものである。図５の中央の像担持体表面電位は、左側の像担持体表面電位（現像ローラ２０Ｙ通過時）に比べて、全体的に高くなっているが、これは上述の暗減衰によるものである。また、図５の中央に示すものにおいて、ＶW1は像担持体１０Ｙ上における非露光部分の電位であり、ＶB1は露光部分の電位である。
【０１２６】
負帯電の像担持体を用いた実施形態では、第１像担持体スクイーズローラ１３Ｙに印加するバイアス電圧値Ｖｓ1としては、Ｖｓ1＞Ｖｄとなるように設定する。これは非露光部分ＶW1に存在するカブリトナーを、点線の矢印に示すように第１像担持体スクイーズローラ１３Ｙ側に移動させるようにするためである。本実施形態では、暗減衰特性を考慮した上で、Ｖｓ1＞Ｖｄとなるように第１像担持体スクイーズローラ１３Ｙに印加するバイア
ス電圧値を設定することによって、不要なカブリトナーを効率よく除去するようにしている。
【０１２７】
図１２における右側の像担持体表面電位は、第２像担持体スクイーズローラ１３Ｙ’を通過する時点Ｔ＝ＴS2における像担持体の表面電位を示すものである。図１２の右側の像担持体表面電位は、中央の像担持体表面電位（第１像担持体スクイーズローラ１３Ｙ通過時）に比べて、全体的にさらに高くなっているが、これは先の暗減衰特性によるものである。また、図１２の右側に示すものにおいて、ＶW2は像担持体１０Ｙ上における非露光部分の電位であり、ＶB2は露光部分の電位である。
【０１２８】
像担持体として有機感光体を用いた場合、第１像担持体スクイーズローラ１３Ｙ’に印加するバイアス電圧値Ｖｓ2としては、Ｖｓ2＞Ｖｓ1＞Ｖｄとなるように設定する。これ
は非露光部分ＶW2に存在するカブリトナーを、点線の矢印に示すように第２像担持体スクイーズローラ１３Ｙ’側に移動させるようにするためである。このように本実施形態では、負帯電感光材料の暗減衰特性を考慮した上で、バイアス電圧Ｖｓ1印加手段１１０及び
バイアス電圧Ｖｓ2印加手段１２０で、Ｖｓ2＞Ｖｓ1＞Ｖｄとなるように第１像担持体ス
クイーズローラ１３Ｙ及び第２像担持体スクイーズローラ１３Ｙ’に印加するバイアス電圧値を設定することによって、不要なカブリトナーを効率よく除去するようにしている。ここで、像担持体としては、正帯電のアモルファスシリコン感光体などの例も含めた場合を考慮すると、｜Ｖｄ｜＞｜Ｖｓ1｜＞｜Ｖｓ2｜が成立するように各バイアス電圧値を設定するとよい。これによれば、像担持体の電位減衰の速度にあわせて、カブリトナーを除去することができる。
【０１２９】
また、暗減衰特性については前述したように、早い段階では減衰率が大きく、時間が経過するにつれ、減衰率が緩やかとなる傾向があるため、このような傾向を考慮すると、バイアス電圧Ｖｓ1印加手段１１０及びバイアス電圧Ｖｓ2印加手段１２０によって、｜Ｖｄ―Ｖｓ1｜＞｜Ｖｓ1―Ｖｓ2｜としてバイアス電圧値を設定すると、より効率的にカブリ
トナーの回収を行うことができる。ここで、像担持体としては、正帯電のアモルファスシリコン感光体などの例も含めた場合を考慮すると、一般式としては｜｜Ｖｄ｜―｜Ｖｓ1
｜｜＞｜｜Ｖｓ1｜―｜Ｖｓ2｜｜が成立するようにバイアス電圧値を定めるとよい。これによれば、像担持体の電位減衰の速度にあわせて、カブリトナーを除去することができる。
【０１３０】
なお、一般化してｎ個のスクイーズローラが設けられている場合ついて考えみる。すなわち、現像ローラ２０の下流側で、一次転写までの間に、ｎ個の像担持体スクイーズローラが配されているものとする。このような場合、像担持体１０としてアモルファスシリコン感光体、有機感光体のいずれのものを用いても、一般化すると｜Ｖｓ1｜＞｜Ｖｓ2｜＞＞｜Ｖｓ3｜・・・・・・＞｜Ｖｓn―1｜＞｜Ｖｓn｜の関係を有するように各バイアス電圧値を設定すればよい、ということとなる。これによれば、全ての像担持体スクイーズローラによって、暗減衰特性による像担持体表面電位の減衰を考慮した上で、効率的にカブリトナーを除去することができる。
【０１３１】
次に、暗減衰特性の温度に伴う変化と、これを考慮した像担持体スクイーズローラのバイアス電圧値の設定について説明する。先に説明したように、アモルファスシリコン感光体で構成される像担持体１０の暗減衰による減衰率は、温度が高いほど顕著である。このような傾向については有機感光体についても同様のことが言える。そこで、画像形成装置１内部における温度変化を温度検出手段９によって検出し、検出した温度に応じて、像担持体スクイーズローラのバイアス電圧値の設定を変更することによって、より効率よくカブリトナーを回収する実施態様について説明する。
【０１３２】
まず、温度検出手段９によって検出される温度に応じて、バイアス電圧Ｖｓ1印加手段
１１０によって、バイアス電圧値Ｖｓ1のみを変更する実施態様を挙げることができる。
このような実施態様では、バイアス電圧Ｖｓ2印加手段１２０で、バイアス電圧値を変更
する必要がないため、バイアス電圧Ｖｓ2印加手段１２０の構成を簡便とすることができ
る。また、現像後の最初のスクイーズ手段である第１像担持体スクイーズローラ１３Ｙによって、重点的にカブリトナーを除去する。
【０１３３】
また、温度検出手段９によって検出される温度に応じて、バイアス電圧Ｖｓ2印加手段
１２０によって、バイアス電圧値Ｖｓ2のみを変更する実施態様を挙げることができる。
このような実施態様では、バイアス電圧Ｖｓ1印加手段１１０で、バイアス電圧値を変更
する必要がないため、バイアス電圧Ｖｓ1印加手段１１０の構成を簡便とすることができ
る。また、転写直前のスクイーズ手段である第２像担持体スクイーズローラ１３Ｙ’によって、重点的にカブリトナーを除去する。
【０１３４】
また、温度検出手段９によって検出される温度に応じて、バイアス電圧Ｖｓ1印加手段
１１０及びバイアス電圧Ｖｓ2印加手段１２０によって、バイアス電圧値Ｖｓ1及びバイアス電圧値Ｖｓ2の双方を変更する実施態様を挙げることができる。このような実施態様に
よれば、温度によって応じた適切なカブリトナー除去を、第１及び第２のスクイーズローラにて行うことが可能となる。
【０１３５】
また、バイアス電圧Ｖｓ1印加手段１１０及びバイアス電圧Ｖｓ2印加手段１２０によって、バイアス電圧値Ｖｓ1及びバイアス電圧値Ｖｓ2の双方を変更するときにおいては、前記バイアス電圧値Ｖｓ1の変更量が前記バイアス電圧値Ｖｓ2の変更量より大きくなるように変更するとよい。このような実施態様によれば、第１のスクイーズローラ位置のほうが温度による電位の減衰量が大きいので、第２のスクイーズローラよりも第１のスクイーズローラの電位を大きく変化させることで、カブリトナーを効果的に除去することができる。
【０１３６】
ところで、画像形成装置１では、厚手の普通紙や薄い上質紙などの画像形成対象となる記録媒体の種類に応じて、画像形成プロセス速度（すなわち、像担持体の回転速度）を変更する。このような画像形成プロセスの速度（像担持体の回転速度）の変更は、回転速度変更手段１３０がコントロールしており、この回転速度変更手段１３０によって変更された像担持体１０などの回転速度に応じて、バイアス電圧Ｖｓ1印加手段１１０及びバイア
ス電圧Ｖｓ2印加手段１２０で前記バイアス電圧値Ｖｓ1及び前記バイアス電圧値Ｖｓ2を
それぞれ変更する。このような構成とする理由は、像担持体１０の回転速度に応じて、コロナ帯電器１１による帯電から、第１像担持体スクイーズローラ１３及び第２像担持体スクイーズローラ１３まで到達する時間が異なるからである。このようにすれば、記録媒体の種類によって印刷速度（像担持体の回転速度に比例）を変える場合に対応して、最適なバイアス電圧値でカブリトナーを効果的に除去することができる。
【０１３７】
また、このとき、バイアス電圧Ｖｓ1印加手段１１０によるバイアス電圧値Ｖｓ1の変更量は、バイアス電圧Ｖｓ2印加手段１２０によるバイアス電圧値Ｖｓ2の変更量より大きく設定することが望ましい。これは、暗減衰特性が、初期には減衰率が大きく、時間が経過するにつれ、減衰率が小さくなるからである。すなわち、印刷速度（像担持体の回転速度に比例）が異なるときの、電位の減衰量は前段のスクイーズローラのほうが大きいので、第２像担持体スクイーズローラ１３Ｙ’よりも第１像担持体スクイーズローラ１３Ｙの電位を大きく変化させる。このようなバイアス電圧値の設定によれば、カブリトナーをより効果的に除去する。
【０１３８】
回転速度変更手段１３０によって変更された像担持体１０などの回転速度に応じて、バイアス電圧Ｖｓ1印加手段１１０及びバイアス電圧Ｖｓ2印加手段１２０によって、前記バイアス電圧値Ｖｓ1及び前記バイアス電圧値Ｖｓ2を増加するとよい。このようにすれば、記録媒体の種類によって印刷速度（像担持体の回転速度に比例）を変える場合に対応して
、最適なバイアス電圧値でカブリトナーを効果的に除去することができる。
【０１３９】
また、このとき、記バイアス電圧値Ｖｓ1の変更量は前記バイアス電圧値Ｖｓ2の変更量より大きくなるように設定することが好ましい。このような実施態様によれば、第１のスクイーズローラ位置のほうが電位の減衰量が大きいので、第２のスクイーズローラよりも第１のスクイーズローラの電位を大きく変化させることで、カブリトナーを効果的に除去することができる。
【０１４０】
次に、本発明の実施例について説明する。
（実施例５）
実施例５における印加バイアス電圧値等のパラーメーターを表２に示す。φ７８の像担持体１０で、感光体速度２１０ｍｍ／ｓｅｃで駆動し、像担持体１０の帯電電位を６００Ｖとする。ここで、温度が２５℃であるときには、バイアス電圧Ｖｓ1印加手段１１０に
よって４４０Ｖが第１像担持体スクイーズローラ１３に印加され、バイアス電圧Ｖｓ2印
加手段１２０によって４１０Ｖが第２像担持体スクイーズローラ１３’に印加されている。温度検出手段９によって３５℃が検出されると、バイアス電圧Ｖｓ1印加手段１１０に
よる第１像担持体スクイーズローラ１３印加電圧のみを変更し、また、温度検出手段９によって１５℃が検出されると、バイアス電圧Ｖｓ2印加手段１２０による第２像担持体ス
クイーズローラ１３’印加電圧のみを変更する。このように検出温度に応じて、いずれかのスクイーズローラ印加バイアス電圧値を変更することによって、感光体上のカブリトナーを効率的に除去することができた。
【０１４１】
【表２】
2009244839.tif 000004
（実施例６）
実施例６における印加バイアス電圧値等のパラーメーターを表３に示す。φ７８の像担持体１０で、第１乃至第４のスクイーズローラを設けて、それぞれにバイアス電圧Ｖｓ1
、バイアス電圧Ｖｓ2、バイアス電圧Ｖｓ3、バイアス電圧Ｖｓ4を印加するようにした。
このような４つのスクイーズローラによれば、より高率でのスクイーズを実現すると共に、感光体上のカブリトナーを効率的に除去することができた。
【０１４２】
【表３】
2009244839.tif 000005
（実施例７）
実施例７における印加バイアス電圧値等のパラーメーターを表４に示す。本実施例においては、像担持体１０として負帯電の感光材料である有機感光体を用い、表４に示すようなバイアス電圧値等の設定を行った上で、各スクイーズローラでカブリトナーを回収したところ、効率的にこれを行うことが可能であった。
【０１４３】
【表４】
2009244839.tif 000006
なお、本明細書においては、種々の実施の形態について説明したが、それぞれの実施の形態の構成を適宜組み合わせて構成された実施形態も本発明の範疇となるものである。
【図面の簡単な説明】
【０１４４】
【図１】本発明の実施の形態に係る画像形成装置を構成する主要構成要素を示した図である。
【図２】画像形成部及び現像装置の主要構成要素を示した断面図である。
【図３】本発明の実施の形態に係る画像形成装置に用いる像担持体の暗減衰特性を示す図である。
【図４】画像形成装置における画像形成部の主要な構成を抜き出して示す図である。
【図５】画像形成プロセスにおける像担持体表面電位の推移を示す図である。
【図６】像担持体の温度変化による暗減衰特性の変化を示す図である。
【図７】像担持体スクイーズローラを１つのみ備える画像形成装置の主要な構成を抜き出して示す図である。
【図８】画像形成プロセスにおける温度変化による像担持体表面電位の推移を示す図である。
【図９】像担持体スクイーズローラを３つ備える画像形成装置の主要な構成を抜き出して示す図である。
【図１０】本発明の他の実施形態に係る画像形成装置を構成する主要構成要素を示した図である。
【図１１】アモルファスシリコン感光体と有機感光体の暗減衰特性を示す図である。
【図１２】負帯電の像担持体を用いたときの画像形成プロセスにおける像担持体表面電位の推移を示す図である。
【符号の説明】
【０１４５】
１・・・画像形成装置、５・・・給紙カセット、６・・・ピックアップローラ、７、７’、７’’・・・搬送ローラ対、９・・・温度検出手段、１０Ｙ、１０Ｍ、１０Ｃ、１０Ｋ・・・像担持体、１１Ｙ、１１Ｍ、１１Ｃ、１１Ｋ・・・コロナ帯電器、１２Ｙ、１２Ｍ、１２Ｃ、１２Ｋ・・・露光ユニット、１３Ｙ・・・第１像担持体スクイーズローラ、１３Ｙ’・・・第２像担持体スクイーズローラ、１４Ｙ、１４Ｙ’・・・像担持体スクイーズローラクリーニングブレード、１６Ｙ・・・像担持体クリーニングローラ、１７Ｙ・・・像担持体クリーニングローラクリーニングブレード、１８Ｙ・・・像担持体クリーニングブレード、２０Ｙ、２０Ｍ、２０Ｃ、２０Ｋ・・・現像ローラ、２１Ｙ・・・現像ローラクリーニングブレード、２２Ｙ・・・コンパクションコロナ発生器、３０Ｙ、３０Ｍ、
３０Ｃ、３０Ｋ・・・現像装置、３１Ｙ、３１Ｍ、３１Ｃ、３１Ｋ・・・現像剤容器、３２Ｙ、３２Ｍ、３２Ｃ、３２Ｋ・・・アニロックスローラ、３１Ｙ、３１Ｍ、３１Ｃ、３１Ｋ・・・現像剤容器、３３Ｙ・・・規制ブレード、３４Ｙ・・・オーガ（供給ローラ）、４０・・・中間転写体、４１・・・ベルト駆動ローラ、４２・・・テンションローラ、４５・・・現像剤回収部、４６・・・中間転写体クリーニングローラ、４７・・中間転写体クリーニングローラクリーニングブレード、４９・・・中間転写体クリーニングブレード、５０Ｙ、５０Ｍ、５０Ｃ、５０Ｋ・・・一次転写部、５１Ｙ、５１Ｍ、５１Ｃ、５１Ｋ・・・一次転写バックアップローラ、５２、５３・・・テンションローラ、６０・・・２次転写ユニット、６１・・・２次転写ローラ、６２・・・２次転写ローラクリーニングブレード、７０Ｙ、７１Ｙ、７２Ｙ、７３Ｙ、７４、７６Ｙ・・・（クリーニング）ブレード保持部材、７５Ｙ・・・規制ブレード保持部材、７７、７８・・・クリーニングブレード保持部材、８０Ｙ・・・像担持体回収貯留部、８１Ｙ・・・回収スクリュー、８５・・・２次転写ユニット回収貯留部、８６・・・回収スクリュー、８７・・・中間転写体回収貯留部、８８・・・回収スクリュー、９０・・・定着部、９１・・・加熱ローラ、９２・・・加圧ローラ、１１０・・・バイアス電圧Ｖｓ1印加手段、１２０・・・バイアス電
圧Ｖｓ2印加手段、１３０・・・回転速度変更手段、３１０Ｙ・・・供給貯留部、３２０
Ｙ・・・回収貯留部、３２１Ｙ・・・回収スクリュー、３３０Ｙ・・・仕切り部、３６０Ｙ・・・液体現像剤供給部材、３６５Ｙ・・・液体現像剤供給口、３７０Ｙ・・・液体現像剤供給管、３７１Ｙ・・・液体現像剤回収管
【図１】
2009244839.tif 000007
【図２】
2009244839.tif 000008
【図３】
2009244839.tif 000009
【図４】
2009244839.tif 000010
【図５】
2009244839.tif 000011
【図６】
2009244839.tif 000012
【図７】
2009244839.tif 000013
【図８】
2009244839.tif 000014
【図９】
2009244839.tif 000015
【図１０】
2009244839.tif 000016
【図１１】
2009244839.tif 000017
【図１２】
2009244839.tif 000018